(57)【要約】【課題】広域停電時においても中央監視装置に停電発報が集中することを防止することができる。【解決手段】監視対象のエレベータの停電を検出する手段（Ｓ１）と、停電を検出した場合に、予め設定された停電用発報先へ停電発報信号を出力する手段（Ｓ４）と、停電発報信号に対する応答信号を停電用発報先から受信する手段（Ｓ５）と、応答信号に基づいて、停電用発報先が停電しているか否かを判定する手段（Ｓ６）と、応答信号を受信しなかった場合または停電用発報先が停電していると判定されなかった場合に、中央監視装置に停電発報信号を出力する手段（Ｓ８）と、応答信号により停電用発報先が停電していると判定された場合に、広域停電と判断して、中央監視装置への停電発報信号の出力を停止する手段（Ｓ７）とを備えている。【選択図】図２
2008297049.tif 000002
【特許請求の範囲】
【請求項１】
中央監視装置に接続されたエレベータ監視装置であって、
監視対象のエレベータが停電した場合に、前記停電を検出する停電検出手段と、
前記停電検出手段が停電を検出した場合に、予め設定された停電用発報先へ、停電発報信号を出力する指定先用停電発報手段と、
前記停電発報信号に対する応答信号を前記停電用発報先から受信する応答信号受信手段と、
前記応答信号に基づいて、前記停電用発報先が停電しているか否かを判定する判定手段と、
前記応答信号受信手段が前記応答信号を受信しなかった場合、および、前記判定手段により前記停電用発報先が停電していると判定されなかった場合に、前記中央監視装置に停電発報信号を出力する中央監視装置用停電発報手段と、
前記判定手段により前記停電用発報先が停電していると判定された場合に、広域停電と判断して、前記中央監視装置への前記停電発報信号の出力を停止する停止手段と
を備えたことを特徴とするエレベータ監視装置。
【請求項２】
前記指定先用停電発報手段による前記停電発報信号の出力は、停電検出から所定時間経過後に行われるものであって、
前記所定時間は、各出力ごとにランダムに決定されることを特徴とする請求項１に記載のエレベータ監視装置。
【請求項３】
前記指定先用停電発報手段による前記停電発報信号の出力は、各エレベータ監視装置間で順序化されて行われるものであって、
前記指定先用停電発報手段による前記停電発報信号の出力は、停電検出から所定時間経過後に行われるものであって、
よって、前記所定時間は、各エレベータ監視装置間で設定された前記順序に従って、順次長くなっていくように設定されていることを特徴とする請求項１に記載のエレベータ監視装置。
【発明の詳細な説明】
【技術分野】
【０００１】
この発明はエレベータ監視装置に関し、特に、複数のエレベータを監視するためのエレベータ監視装置に関する。
【背景技術】
【０００２】
従来より、各地区の設備の動作を監視するための遠隔監視装置が種々提案されている（例えば、特許文献１および２参照。）。
【０００３】
この種の遠隔監視装置は、監視対象設備において停電等の異常が発生すると、当該異常を検出して、中央監視装置に発報を行う。中央監視装置は当該発報を受けて、異常の発生した設備およびその異常内容等の情報をユーザやサービスマン等に通知する。通知を受けたサービスマンは、修理または復旧等の適切な処理を行う。
【０００４】
【特許文献１】特開平６−３３６３８１号公報
【特許文献２】特開２００２−２５１６８７号公報
【発明の開示】
【発明が解決しようとする課題】
【０００５】
しかしながら、当該異常が停電発生であり、しかもその停電が広域停電の場合には、停電発生地域の全遠隔監視装置が中央監視装置に停電発報を行うため、中央監視装置への発報が集中することになり、中央監視装置が全ての発報を順次処理するので、多大の時間を要することになる。このため、広域停電発生中に他の重要な発報（例えば、エレベータ乗客の閉じ込め）があっても、中央監視装置への発報が遅れ、対応(乗客の救出活動)までに時間がかかってしまうという問題点があった。
【０００６】
この発明はかかる問題点を解決するためになされたものであり、広域停電時においても中央監視装置に停電発報が集中することを防止することが可能なエレベータ監視装置を得ることを目的としている。
【課題を解決するための手段】
【０００７】
この発明は、中央監視装置に接続されたエレベータ監視装置であって、監視対象のエレベータが停電した場合に、前記停電を検出する停電検出手段と、前記停電検出手段が停電を検出した場合に、予め設定された停電用発報先へ、停電発報信号を出力する指定先用停電発報手段と、前記停電発報信号に対する応答信号を前記停電用発報先から受信する応答信号受信手段と、前記応答信号に基づいて、前記停電用発報先が停電しているか否かを判定する判定手段と、前記応答信号受信手段が前記応答信号を受信しなかった場合、および、前記判定手段により前記停電用発報先が停電していると判定されなかった場合に、前記中央監視装置に停電発報信号を出力する中央監視装置用停電発報手段と、前記判定手段により前記停電用発報先が停電していると判定された場合に、広域停電と判断して、前記中央監視装置への前記停電発報信号の出力を停止する停止手段とを備えたことを特徴とするエレベータ監視装置である。
【発明の効果】
【０００８】
この発明は、中央監視装置に接続されたエレベータ監視装置であって、監視対象のエレベータが停電した場合に、前記停電を検出する停電検出手段と、前記停電検出手段が停電を検出した場合に、予め設定された停電用発報先へ、停電発報信号を出力する指定先用停電発報手段と、前記停電発報信号に対する応答信号を前記停電用発報先から受信する応答信号受信手段と、前記応答信号に基づいて、前記停電用発報先が停電しているか否かを判定する判定手段と、前記応答信号受信手段が前記応答信号を受信しなかった場合、および、前記判定手段により前記停電用発報先が停電していると判定されなかった場合に、前記中央監視装置に停電発報信号を出力する中央監視装置用停電発報手段と、前記判定手段により前記停電用発報先が停電していると判定された場合に、広域停電と判断して、前記中央監視装置への前記停電発報信号の出力を停止する停止手段とを備えたことを特徴とするエレベータ監視装置であるので、広域停電時においても中央監視装置に停電発報が集中することを防止することができる。
【発明を実施するための最良の形態】
【０００９】
実施の形態１．
この発明の実施の形態１に係るエレベータ監視装置の構成について図に従い説明する。図１は、本実施の形態に係るエレベータ監視装置が設けられた遠隔監視システムの全体の構成を示した図である。図１において、１は、各ビルに設置されたエレベータ、２は各エレベータ１に接続され、遠隔地からエレベータ１の監視を行うエレベータ監視装置、３はエレベータ監視装置２が接続された公衆網(アナログ公衆回線やＰＨＳ回線など)、４は公衆網３に接続され、エレベータ監視装置２からの発報を受信する中央監視装置である。
【００１０】
次に、本実施の形態に係るエレベータ監視装置２の動作について、図２のフローチャートに基づいて説明する。図２に示すように、本実施の形態に係るエレベータ監視装置２（例えば、図１のエレベータ監視装置Ａ）は、監視対象のエレベータ１（エレベータＡ）の停電を検出する（ステップＳ１）と、他のエレベータ監視装置２（エレベータ監視装置Ｂ〜Ｄのいずれか）からの停電発報を受信したか否かを確認し（ステップＳ２）、受信した場合には、ステップＳ９に進み、広域停電と判断し、停電発報信号の出力を停止し、中央監視装置４には停電発報しない（ステップＳ９）。
【００１１】
一方、ステップＳ２において、予め設定された所定時間Ｔ１の間に、いずれのエレベータ監視装置２（エレベータ監視装置Ｂ〜Ｄのいずれか）からも停電発報を受信しなかった場合には、予め設定された所定時間Ｔ１経過後に（ステップＳ３）、予め設定された停電用発報先（例えば、エレベータ監視装置Ｂ）に停電発報を行う（ステップＳ４）。なお、当該停電発報とは、予め設定された所定の信号（停電発報信号）を出力することである。次に、停電発報先から、停電発報に対する応答信号を受信したか否かを確認する（ステップＳ５）。所定時間Ｔ２経過まで停電発報先からの応答信号がなかった場合には、広域停電と判断せずに、停電発報を中央監視装置４に発報し（ステップＳ８）、一方、応答信号があった場合には、停電発報先も停電しているか否かを当該応答信号に付加された停電情報に基づいて判断する（ステップＳ６）。なお、停電情報は、例えば、１ビットのフラグから構成し、停電の場合は０、停電でない場合には１の値を示すようにすればよい。判断の結果、停電発報先も停電していた場合には、広域停電と判断し、停電発報信号の出力を停止し、中央監視装置４には発報しない（ステップＳ７）。
【００１２】
一方、ステップＳ６において、停電発報先が停電していないと判断した場合には、広域停電と判断せずに、停電発報信号を中央監視装置４に出力する（ステップＳ８）。
【００１３】
次に、図２でフローを説明したエレベータ監視装置の動作について、図３のタイミングチャートに基づいて具体的な動作パターンを例に挙げてさらに詳細に説明する。なお、図３の例において、エレベータ監視装置Ａには、停電発報先として、予めエレベータ遠隔監視装置Ｂが設定され、停電検出から停電発報までの所定時間Ｔ１として、時間Ｔ１ａ（例えば、１０秒）が予め設定されている。
【００１４】
図３に示すように、第一のパターンとして、エレベータ遠隔監視装置Ａは、エレベータＡの停電を検出する（ステップＳ１）と、時間Ｔ１ａ経過後、エレベータ監視装置Ｂに対して停電発報を行う（ステップＳ４）。エレベータ遠隔監視装置Ｂがそれに応答し（ステップＳ５）、エレベータ監視装置Ａが当該応答に基づいて、エレベータ遠隔監視装置Ｂも停電していることを確認する（ステップＳ６）と、エレベータ監視装置Ａは、広域停電と判断し、中央監視装置４に停電発報しない（ステップＳ７）。また、エレベータ遠隔監視装置Ａから停電発報を受けた停電中のエレベータ監視装置Ｂも（ステップＳ２）、広域停電と判断し、中央監視装置４に停電発報しない（ステップＳ９）。
【００１５】
次に、図３に示す第二のパターンとして、エレベータ監視装置Ａは、エレベータＡの停電を検出すると（ステップＳ１）、時間Ｔ１ａ経過後、エレベータ監視装置Ｂに対して停電発報を行い（ステップＳ４）、エレベータ監視装置Ｂがそれに応答し（ステップＳ５）、エレベータ監視装置Ａが、それにより、エレベータ監視装置Ｂが停電していないことを確認すると（ステップＳ６）、エレベータ遠隔監視装置Ａは、広域停電と判断せず、中央監視装置に停電発報する（ステップＳ８）。
【００１６】
次に、図３に示す第三のパターンとして、エレベータ監視装置Ａは、停電を検出すると（ステップＳ１）、時間Ｔ１ａ経過後、エレベータ監視装置Ｂに対して停電発報を行う（ステップＳ４）。しかしながら、エレベータ監視装置Ｂが通信中などの理由のため、応答しない場合には（ステップＳ５）、エレベータ監視装置Ｂの状況がわからないため、エレベータ監視装置Ａは、広域停電とは判断せずに、中央監視装置４に停電発報する（ステップＳ８）。
【００１７】
以上のように、本実施の形態においては、広域停電が発生した場合には、エレベータ監視装置２は中央監視装置４に停電発報する前に、予め設定された他のエレベータ監視装置２に停電発報を行い、他のエレベータ監視装置も停電であった場合には、広域停電と判断して、中央監視装置４に停電発報行わないようにしたので、広域停電時に、各エレベータ監視装置２からの停電発報が中央監視装置４に集中することを防止することができる。この結果、広域停電発生中に他の重要な発報（例えば、エレベータ乗客の閉じ込め）があっても、中央監視装置４へ迅速に発報して知らせることができ、当該発報への対応(乗客の救出活動)を迅速かつ適切に行うことができる。
【００１８】
実施の形態２．
次に、この発明の実施の形態２に係るエレベータ監視装置の動作について、図２のフローチャート及び図４のタイミングチャートにて説明する。本実施の形態においては、各エレベータ監視装置（Ａ〜Ｄ）は、図２のフローチャートに従い、停電発報を行う。また、エレベータ監視装置Ａには、停電発報先として、予めエレベータ遠隔監視装置Ｂが設定されている。また、停電検出から停電発報までの所定時間Ｔ１は、ランダムな時間Ｔ１ａが発報毎に設定される。なお、時間Ｔ１ａは、停電検出時に乱数を用いて生成される。また、エレベータ監視装置Ｂには、停電発報先として、予めエレベータ監視装置Ｂが設定され、停電検出から停電発報までの所定時間Ｔ１として、ランダムな時間Ｔ１ｂが発報毎に設定される。時間Ｔ１ｂも、停電検出時に乱数を用いて生成される。但し、ここで、時間Ｔ１ａ＞時間Ｔ１ｂとする。なお、本実施の形態に係るエレベータ監視装置が設けられた遠隔監視システムの全体の構成については、図１と同じであるため、図１を参照し、ここではその説明を省略する。
【００１９】
図４に示すように、第１のパターンとして、エレベータ監視装置Ａは、停電を検出すると（ステップＳ１）、時間Ｔ１ａをランダムに決定し、時間Ｔ１ａ経過後、エレベータ監視装置Ｂに対して停電発報を行い（ステップＳ４）、エレベータ監視装置Ｂがそれに応答し（ステップＳ５）、エレベータ監視装置Ａが、エレベータ監視装置Ｂも停電していることを確認すると（ステップＳ６）、エレベータ監視装置Ａは、広域停電と判断し、中央監視装置４に停電発報しない（ステップＳ７）。また、エレベータ監視装置Ａから停電発報を受けた停電中のエレベータ監視装置Ｂも（ステップＳ２）、広域停電と判断し、中央監視装置４に停電発報しない（ステップＳ９）。なお、ここでは、時間Ｔ１ａ＜時間Ｔ１ｂとしたので、エレベータ監視装置Ａが先に発報する。
【００２０】
次に、図４の第二のパターンとして、エレベータ監視装置Ａは、停電を検出すると（ステップＳ１）、時間Ｔ１ａをランダムに決定し、時間Ｔ１ａ経過後、エレベータ監視装置Ｂに対して停電発報を行い（ステップＳ４）、エレベータ監視装置Ｂがそれに応答し（ステップＳ５）、エレベータ監視装置Ａが、エレベータ監視装置Ｂが停電していないことを確認すると（ステップＳ６）、エレベータ監視装置Ａは、広域停電と判断せず、中央監視装置４に停電発報する（ステップＳ８）。
【００２１】
次に、図４の第三のパターンとして、エレベータ監視装置Ｂは、停電を検出すると（ステップＳ１）、時間Ｔ１ｂをランダムに決定し、時間Ｔ１ｂ経過後、エレベータ監視装置Ａに対して停電発報を行い（ステップＳ４）、エレベータ監視装置Ａがそれに応答し（ステップＳ５）、エレベータ監視装置Ｂは、エレベータ監視装置Ａが停電していないことを確認すると（ステップＳ６）、広域停電と判断せず、中央監視装置４に停電発報する（ステップＳ８）。
【００２２】
以上のように、本実施の形態においては、上述の実施の形態１と同様の効果が得られるとともに、さらに、停電検出から他のエレベータ監視装置２への停電発報開始までの時間Ｔ１を発報毎にランダムな値としたことにより、各エレベータ監視装置２が同時に停電発報を行って、停電用発報先のエレベータ監視装置２が通信中となって、自身の発報ができなくなることを防止することができる。
【００２３】
実施の形態３．
本実施の形態３に係るエレベータ監視装置の動作について、図５のフローチャートに基づいて説明する。なお、本実施の形態に係るエレベータ監視装置が設けられた遠隔監視システムの全体の構成については、図１と同じであるため、図１を参照し、ここではその説明を省略する。
【００２４】
図５に示すように、本実施の形態に係るエレベータ監視装置２（例えば、図１のエレベータ監視装置Ａ）は、監視対象のエレベータ１（エレベータＡ）の停電を検出する（ステップＳ１１）と、他のエレベータ監視装置２（エレベータ監視装置Ｂ〜Ｄのいずれか）からの停電発報を受信したか否かを確認し（ステップＳ１２）、受信した場合には、広域停電と判断し（ステップＳ１９）、予め設定された停電用発報先（例えば、エレベータ監視装置Ｂ）に停電発報信号の出力を行う（ステップＳ２０）。但し、ここで、停電発報先が中央監視装置４の場合には、停電発報は行わない。
【００２５】
一方、ステップＳ１２において、いずれのエレベータ監視装置２（エレベータ監視装置Ｂ〜Ｄのいずれか）からも停電発報を受信しなかった場合には、予め設定された所定時間Ｔ１が経過するまで待機し（ステップＳ１３）、所定時間Ｔ１経過後に、予め設定された停電用発報先（例えば、エレベータ監視装置Ｂ）に停電発報信号の出力を行う（ステップＳ１４）。
【００２６】
次に、停電発報先からの応答信号の受信の有無を確認する（ステップＳ１５）。所定時間Ｔ２経過まで停電発報先からの応答信号がなかった場合には、広域停電と判断せずに、停電発報信号を中央監視装置４に出力し（ステップＳ１８）、一方、応答信号があった場合には、停電発報先も停電しているか否かを当該応答信号に付加された停電情報に基づいて判断する（ステップＳ１６）。停電発報先も停電していた場合には、広域停電と判断し、停電発報信号の出力を停止し、中央監視装置４には停電発報しない（ステップＳ１７）。一方、ステップＳ１６において、停電発報先が停電していないと判断した場合には、広域停電と判断せずに、停電発報信号を中央監視装置４に出力する（ステップＳ１８）。
【００２７】
次に、図５でフローを説明したエレベータ監視装置の動作について、図６のタイミングチャートに基づいて具体的な動作パターンを例に挙げてさらに詳細に説明する。なお、図６の例において、エレベータ監視装置Ａには、停電発報先として、予めエレベータ監視装置Ｂが設定され、停電検出から停電発報までの所定時間Ｔ１として、時間Ｔ１ａが予め設定されている。また、エレベータ監視装置Ｂには、停電発報先として予めエレベータ監視装置Ｃが設定され、停電検出から停電発報までの時間Ｔ１として、時間Ｔ１ｂが設定されている。同様に、エレベータ監視装置Ｃには、停電発報先として予めエレベータ監視装置Ｄが設定され、停電検出から停電発報までの時間Ｔ１として、時間Ｔ１ｃが設定されている。最後のエレベータ監視装置Ｄには、停電発報先として、予め中央監視装置４が設定され、停電検出から停電発報までの時間Ｔ１として、時間Ｔ１ｄが設定されている。また、これらの時間Ｔ１ａ，Ｔ１ｂ，Ｔ１ｃ，Ｔ１ｄは、Ｔ１ａ＜Ｔ１ｂ＜Ｔ１ｃ＜Ｔ１ｄとなうように決定される。すなわち、本実施の形態においては、各エレベータ監視装置間の停電発報が順序化されており、当該順序に従って、所定時間Ｔ１ａ，Ｔ１ｂ，Ｔ１ｃ，Ｔ１ｄが順次長くなっていくように設定されている。
【００２８】
図６において、第一のパターンとして、エレベータ監視装置Ａは、停電を検出すると（ステップＳ１１）、時間Ｔ１ａ経過後、エレベータ監視装置Ｂに対して停電発報を行い（ステップＳ１４）、エレベータ監視装置Ｂがそれに応答し（ステップＳ１５）、エレベータ監視装置Ａは、エレベータ監視装置Ｂも停電していることを確認すると（ステップＳ１６）、広域停電と判断し、停電発報信号の出力を停止し、中央監視装置４に停電発報しない（ステップＳ１７）。
【００２９】
また、エレベータ監視装置Ａから停電発報を受けた停電中のエレベータ遠隔監視装置Ｂは（ステップＳ１２）、広域停電と判断し（ステップＳ１９）、中央監視装置４には発報せず、予め設定されたエレベータ監視装置Ｃに対して停電発報を行う（ステップＳ２０）。
【００３０】
エレベータ監視装置Ｂと同様に、エレベータ監視装置Ｂから停電発報を受けたエレベータ監視装置Ｃは（ステップＳ１２）、自装置が停電していた場合には（ステップＳ１１）、広域停電と判断し（ステップＳ１９）、中央監視装置４には発報せず、予め設定されたエレベータ監視装置Ｄに対して停電発報を行う（ステップＳ２０）。
【００３１】
さらに、エレベータ監視装置Ｃから停電発報を受けたエレベータ監視装置Ｄは（ステップＳ１２）、自装置が停電していた場合には（ステップＳ１１）、広域停電と判断するが（ステップＳ１９）、予め設定された停電用発報先が中央監視装置４であるため、それに対して停電発報を行わない（ステップＳ２０）。
【００３２】
次に、図６の第二のパターンとして、エレベータ監視装置Ｂの監視対象のエレベータＢのみが停電していない場合（エレベータＡ，Ｃ，Ｄは停電中）について説明する。
【００３３】
エレベータ監視装置Ａは、停電を検出すると（ステップＳ１１）、時間Ｔ１ａ経過後、エレベータ監視装置Ｂに対して停電発報を行う（ステップＳ１４）。
【００３４】
エレベータ監視装置Ｂは、エレベータ監視装置Ａからの停電発報を受信するが、自装置は停電していないので、他へ停電発報しない（ステップＳ１１のＮｏの場合に相当）。
【００３５】
エレベータ監視装置Ｃは、停電を検出するが（ステップＳ１１）、エレベータ監視装置Ｂからの停電発報を受信しないので（ステップＳ１２）、停電検出後、時間Ｔ１ｃ経過後に、エレベータ監視装置Ｄに対して停電発報を行う（ステップＳ１４）。
【００３６】
エレベータ監視装置Ｄは、停電を検出し（ステップＳ１１）、エレベータ監視装置Ｃからの停電発報を受信して（ステップＳ１２）、広域停電と判断するが（ステップＳ１９）、予め設定された停電用発報先が中央監視装置４であるため、それに対して停電発報を行わない（ステップＳ２０）。
【００３７】
以上のように、本実施の形態においては、実施の形態１と同様の効果が得られるとともに、さらに、本実施の形態においては、予め設定された停電発報する他のエレベータ監視装置を順序化し、停電検出から他のエレベータ監視装置への停電発報開始までの時間を順次増やしていくようにしたので、広域停電の際にも、順序よくエレベータ監視装置が広域停電であることを判断でき、中央監視装置４に停電発報が集中することを防止することができる。
【図面の簡単な説明】
【００３８】
【図１】この発明の実施の形態１に係るエレベータ監視装置が設けられた遠隔監視システムの全体の構成を示した構成図である。
【図２】この発明の実施の形態１に係るエレベータ監視装置の動作の流れを示したフローチャートである。
【図３】この発明の実施の形態１に係るエレベータ監視装置の動作を示したタイミングチャートである。
【図４】この発明の実施の形態２に係るエレベータ監視装置の動作を示したタイミングチャートである。
【図５】この発明の実施の形態３に係るエレベータ監視装置の動作の流れを示したフローチャートである。
【図６】この発明の実施の形態３に係るエレベータ監視装置の動作を示したタイミングチャートである。
【符号の説明】
【００３９】
１  エレベータ、２  エレベータ監視装置、３  公衆網、４  中央監視装置。
【図１】
2008297049.tif 000003
【図２】
2008297049.tif 000004
【図３】
2008297049.tif 000005
【図４】
2008297049.tif 000006
【図５】
2008297049.tif 000007
【図６】
2008297049.tif 000008